(57)【特許請求の範囲】
【請求項１】
別のソール部分に取り付けるための、靴のための靴底であって、靴底（７）のトレッド表面に設けられた、耐摩耗性の材料から成る多数のトレッドエレメント（11）を有しており、これらのトレッドエレメント（11）が、トレッド表面に一体成形されており、靴底（７）が、該靴底（７）を貫通する孔（13,17,18,19）から成るパターンを有しており、トレッドエレメント（11）が、孔（13,17,18,19）に射出成形されて確実に保持されており、トレッドエレメント（11）が、靴底（７）の外側で、各トレッドエレメント（11）に対応配置された孔（13,17,18,19）の横断面積よりも大きな面積を有しており、トレッドエレメント（11）が、孔（13,17,18,19）を通って靴底（７）の外側とは反対側まで貫通係合していて、かつ該反対側で孔（13,17,18,19）の横断面よりも大きな固定部分（15）を備えている形式のものにおいて、
靴底（７）が、薄くて、柔軟で、非多孔性で、非弾性的なシート材料（９）から成っており、
トレッドエレメント（11）が、硬質の材料から成っており、
靴底（７）が、該靴底が固定される靴（１）のソール層または靴底部の表面の外側形状の大きさにシート材料（９）を切り取って形成されていることを特徴とする靴底。
【請求項２】
シート材料（９）の少なくとも１つの領域におけるトレッドエレメント（11a,11b,11c）が、シート材料（９）の少なくとも１つの別の領域におけるトレッドエレメント（11a,11b,11c）と幾何学形状で異なっている、請求項１記載の靴底。
【請求項３】
種々異なるトレッドエレメント（11a,11b,11c）はその大きさが異なっている、請求項２記載の靴底。
【請求項４】
種々異なるトレッドエレメント（11a,11b,11c）はその形状が異なっている、請求項２記載の靴底。
【請求項５】
足指領域に設けられたトレッドエレメント（11c）が靴底（７）の幅にわたって延びている、請求項１から４までのいずれか１項記載の靴底。
【請求項６】
足の前側領域において足指領域の後方の中央領域に大きなトレッドエレメント（11a）が設けられており、中央領域の側方および中央に比較的小さいトレッドエレメント（11b）が設けられている、請求項１から５までのいずれか１項記載の靴底。
【請求項７】
シート材料（９）が、ウレタンが含浸させられたポリエステル製のマイクロファイバ織布から成っている、請求項１から６までのいずれか１項記載の靴底。
【請求項８】
シート材料（９）が、ポリエステルフィルム、ポリエステルネット、ナイロンスクリーン、ポリウレタンフィルム、合成なめし革または合成革から成る材料グループから選択された１つの材料から成っている、請求項１から６までのいずれか１項記載の靴底。
【請求項９】
シート材料（９）がトレッドエレメント（11）の面にウレタン接着剤から成る層を有している、請求項１から８までのいずれか１項記載の靴底。
【請求項１０】
トレッドエレメント（11）が熱可塑性のゴム、熱可塑性のポリウレタン、合成ゴムまたはポリ塩化ビニルから成る材料グループから選択された１つの材料から成っている、請求項１から９までのいずれか１項記載の靴底。
【請求項１１】
足の母指球または足の母指球の中心から前方に設けられたトレッドエレメント（11）が急な後方斜面および比較的平らな前方斜面（第１図Ａ）を有している、請求項１から10までのいずれか１項記載の靴底。
【請求項１２】
足の母指球の領域から土踏まずの前側にかけて設けられているトレッドエレメント（11）が、急な前方斜面および比較的平らな後方斜面を有している、請求項１から10までのいずれか１項記載の靴底。
【請求項１３】
靴底（７）が固定されている靴のソール層が、凹状部分を有しており、この凹状部分に靴底（７）が押し込まれて接着されている、請求項１から12までのいずれか１項記載の靴底。
【請求項１４】
靴であって、上部材料および外側ソールを有しており、該外側ソールが請求項１から13までのいずれか１項記載の靴底から成っていることを特徴とする靴。
【請求項１５】
中間ソール（５）を有しており、該中間ソール（５）に靴底（７）が取り付けられ、たとえば接着されている、請求項14記載の靴。
【請求項１６】
中間ソール（５）に靴底（７）がウレタン接着剤によって接着されている、請求項15記載の靴。
【請求項１７】
中間ソールが衝撃吸収性の材料から成っている、請求項15または16項記載の靴。
【請求項１８】
請求項１から13までのいずれか１項記載の特徴を備えた靴底の製造方法において、次の方法ステップ、すなわち、
シート材料（９）を貫通する孔（17,18,19）のパターンを有する、非弾性で非多孔性の柔軟な薄いシート材料（９）を設け、
シート材料（９）を射出成形機の型（20）上で固定し、この場合孔（17,18,19）を、トレッドエレメント（11）を成形するために、型（20）に設けられた溝（22）の、対応配置された開口部上にもたらし、
トレッドエレメント材料をシート材料（９）の孔（17,18,19）を通して溝（22）に射出することおよびトレッドエレメント（11）をシート材料（９）の第１の面上に射出することによって、耐摩耗性の硬質な材料から成る多数のトレッドエレメント（11）を成形し、この場合少なくともトレッドエレメント（11）の幾つかが固定部分（15）を有し、これらの固定部分（15）が対応配置された孔（17,18,19）を通って第２の面からトレッドエレメント（11）に延び、孔（17,18,19）の周りに存在するシート材料の一部がトレッドエレメント（11）とそれぞれ対応する固定エレメント（15）との間で保持されるようにし、
トレッドエレメント（11）を備えたシート材料（９）を射出機械から離し、
シート材料（９）を、シート材料を靴底として取り付ける靴底部の表面の外側形状に相応する外側形状に裁断する、方法ステップを特徴とする靴底の製造方法。
【請求項１９】
裁断した後で別の方法ステップにおいて、接着剤をシート材料（９）の第２の面に塗布し、第２の面を別のソール層に接着する、請求項18記載の方法。
【請求項２０】
別のソール層のためにとくに衝撃吸収性の中間ソール（５）を使用する、請求項19記載の方法。
【請求項２１】
孔（17,18,19）を設ける前に、少なくともシート材料（９）の第１の面にウレタン接着剤を塗布する、請求項18から20までのいずれか１項記載の方法。
【請求項２２】
靴底（７）の幅にわたって延びているトレッドエレメント（11c）を、互いに向かい合っている側から射出鋳造型内に設けられた射出スプル通路を介して、各溝にトレッドエレメント材料を射出することによって形成する、請求項18から21までのいずれか１項記載の方法。
【請求項２３】
トレッドエレメント（11）を、靴底を固定する別のソール部分（５）の表面と一致するような全体配置で設ける、請求項18から22までのいずれか１項記載の方法。
【発明の詳細な説明】
本発明は、請求項１の上位概念による、射出成形された、靴底を貫通するトレッドエレメントを備えた、靴のための靴底と、請求項14の上位概念による、このような靴底を備えた靴と、請求項18の上位概念による、このような靴底の製造方法とに関する。
本発明は有利には、スポーツシューズ、とくに運動種目用の靴のための靴底に関しており、このスポーツシューズの場合、ソールは衝撃吸収性の中間ソール層を有しており、この中間ソール層の外側にはトレッド表面を備えた耐摩耗性の靴底が取り付けられている。本発明はとくに、靴底にトレッドエレメントが柔軟な薄いシート材料において固定されており、このシート材料が少なくとも中間ソールの下面の領域に接着されている形式の靴底に関する。本発明はこのような靴底の製造方法にも関する。
衝撃吸収性の中間ソール層を有するソールを備えたスポーツシューズがある期間製造されていたが、この中間ソール層の外側にはトレッド表面を備えた耐摩耗性の靴底が配置されていた。中間ソールもしくは中間ソール層は典型的には、たとえば気泡、ハネカム、ゲルまたはそれに類するもののような、重さを軽くする、および／または衝撃吸収性の、および／または衝撃分散性の挿入体を備えた、または備えていないポリウレタンフォームのような軽量の軟質フォーム材料から成っている。他方前記靴底は、ポリ塩化ビニル、合成ゴムまたはそれに類するもののようなたとえば熱可塑性のエラストマから成る射出された硬質の材料から成形されていた。このような靴底材料は比較的硬質でありかつ重いので、靴底で覆われている中間ソールの領域において、たとえば通常地面と接触しない土踏まずの領域およびかかとの一部に、間隙を設けるという手段が施された。たとえば靴底に、波形に成形された薄い区分のような、柔軟性が高められた領域が足の母指球や関節領域に設けられた。しかしながらこれら全ての手段では製造工程が複雑であって、靴底の重さを最も有利に減少し得ることまたは靴底の硬さ効果を最低限に減少することがない。
本発明の目的は、ソールが衝撃吸収性の中間ソール層を有していて、このソールの場合中間ソール層の外側の、選択された少なくとも１つの領域に柔軟な薄いシート材料の内側が接着されていて、このシート材料の外側にトレッドエレメントが取り付けられている、スポーツシューズ、とくにランニングシューズのための靴底の改善を意図している。
本発明のさらなる目的は、前記タイプの、通常の運動靴に必要なトレッドエレメントよりも大きなトレッドエレメントを必要とする靴のために（たとえばクロストレーニングシューズやハイキングシューズのために）適当であり、かつ種々異なる領域における様々なトレッドエレメントを備えたトレッドエレメントのパターンを最も有利にすることや、局地的に固定された装飾や商標、構成を靴底のトレッド表面に取り付けることを可能にしている、靴底を提供することである。
本発明の別の目的は、前記目標設定に関連して、このような靴底の製造のための方法を提供することであり、この場合付加的に、シート材料の使用される領域におけるトレッドエレメント材料の無駄遣いを避けることが望まれている。
本発明のこれらのおよびさらなる目的と特徴と利点とは、単に本発明の種々異なる実施形態を示している図面に関連して、以下の説明から明らかである。
第１図は、本発明による運動靴（ランニングシューズ）の一部を、第２図の１−１線に沿って断面して側方から見た断面図であり、靴底を舌状領域で中間ソールから分離して図示しており、
第１図Ａは、第１図において円で囲んだ細部Ａを示す拡大図であり、
第２図は、第１図による靴の靴底における接地面を示す平面図であり、
第３図は、本発明による方法において使用される射出成形機を示す図であり、
第４図は、第３図に示された射出成形機に使用するために設けられている基本材料の区分を示す図であり、
第５図は、第３図に示された射出成形機から取り出した後の、第４図の基本材料の区分を示す図であり、
第６図は、第１図の靴に取り付ける前の、第５図の区分から製造された靴底を示す図である。
第１図は靴１の一部、この場合運動目的のためのスポーツシューズ（ランニングシューズ）の一部を示しており、このスポーツシューズは上部材料３を有しており、この上部材料３は衝撃吸収性の中間ソール５に取り付けられ、さらにこのスポーツシューズは、トレッドエレメント11を支持している表面７′を備えた外側ソール（靴底）７を有している。上部材料３および中間ソール５は従来慣用の構造によって個々の構成部材としても製造されていてもよい。
第２図から判るように、靴底７は複数の独立した部分から製造されており、この場合接地部分7a,7b、7cが設けられていているが、中間ソールの材料は、かかとの領域における中間ソール部分5aと、土踏まず（Fusswoelbung）の領域における中間ソール部分5bとにおいて、接地部分7a,7b、7cによって覆われていない。
かかと領域における接地部分7a,7bはトレッドエレメント11を有しておらず、したがってこれらの接地部分7a,7bは靴底のための従来技術において製造されている。しかしながら突出するトレッドエレメント11をかかと領域にも設けることが望まれているような靴には、相応なトレッドエレメント11が設けられていてもよい。このことは、図示の実施例のようにトレッドエレメント11が設けられていない他の領域にも適用される。
接地部分7cにおいて靴底７は、非弾性的で非多孔性の薄いシート材料９から成形されており、シート材料９の外側には、耐摩耗性で硬質の材料から成る多数のトレッドエレメント11が、後で述べる形式で、シート材料９に設けられた孔13を貫通して射出成形されている。これによって先ず初めはトレッドエレメント11のうち幾つかだけしか固定部分15を有しておらず、これらの固定部分15は、シート材料９の、トレッドエレメント11とは反対側の上面から孔13を貫通して延びている。このようにして第１図Ａに示したように、シート材料９の一部は孔13の周りで、トレッドエレメント11と、一体成形された固定部分15との間で保持されている。これに関して述べておかねばならないのは、第１図Ａの固定部分15の寸法はより判りやすくするために拡大して示されていることである。この固定部分15は実際には領域および厚さに関して比較的小さい。さらに第１図Ａで示したように、シート材料９がたとえばマイクロファイバ織布から成っていると、このシート材料９は局部的にトレッドエレメント11と固定部分15との間の領域で圧縮されている。
とくに有利なトレッドエレメント11の構成では、ほぼ足の母指球（Fussballen）の中心から先、または足の母指球の前方に設けられているようなトレッドエレメント11が、急な後方斜面11.1および比較的平らな前方斜面11.2を有している。これは踏み込んだ時にとくに良好な接地性を可能にする。
さらに有利には、足の母指球の領域からほぼ土踏まずの前側にかけて設けられているトレッドエレメント11が、急な前方斜面11.3および比較的平らな後方斜面11.4を有していてよい。これは運動から停止する時に良好な接地性を保証する。
第１図に基づいて明らかなように、別の実施形態によれば、あらかじめ中間ソール５または靴底７が取り付けられる別のソール部分が、とくに横溝の形状の凹状部分を有していてよく、シート部材９を中間ソール５もしくは上記ソール部分に取り付ける際に、この凹状部分にシート材料９が押し込まれて、接着される。
有利なシート材料９はウレタン接着剤が含浸されているポリエステルマイクロファイバ織布であるが、ポリエステルマイクロファイバ織布の代わりにポリエステルフィルム、ポリエステルネット、ナイロンスクリーン、ポリウレタンフィルム、合成なめし革、合成革または別の同様の材料を使用してもよい。同様に種々異なる材料、たとえば熱可塑性ゴム、熱可塑性ポリウレタン、合成ゴムまたはポリ塩化ビニルをトレッドエレメント11のために使用してもよい。
以下に本発明に基づく靴底７の製造方法を述べる。
非弾性的で柔軟な薄いシート材料９は片面にポリウレタン接着剤を備えている。たとえばポリエステルマイクロファイバ織布のようにシート材料が元々多孔性であれば、このシート材料は層の取り付け前に先ず上記のような接着剤を含浸させられ、これによってシート材料はもはや多孔性ではなくなる。次いでシート材料９は所望のトレッドエレメント11の大きさおよび配置場所に相応したパターンに基づいて孔が設けられる。
第４図は、孔17,18,19のパターンが靴底７の製造を目的として靴１の前側領域における接地部分7cのためにどのように設けられているかを示している。とくに比較的大きなトレッドエレメント11は足指領域の後方の中央領域に設けられており（孔の中央の列によって形成されており）、比較的小さいトレッドエレメント11は中央領域の側方および中央に設けられている（側方に並んでいる孔18によって形成されている）。さらにトレッドエレメント11が足指領域に設けられており、これらのトレッドエレメント11はシート材料９の幅にわたって延びている（このために孔19は領域の互いに向かい合っている側に設けられており、これらの孔19を介してそれぞれ１つのトレッドエレメント11が成形されている）。
孔を備えたシート材料９は、次いでモールディングマシン（図示せず）の型20を介して確実に保持され、この場合シート材料９のウレタン接着剤を備えた面が型20に向けられており、シート材料９の孔17,18は、型20の、トレッドエレメント11を形成する溝22の開放している端部の上方に位置することになる。これと同様にエジェクタプレート24でも、上方の端部にプラスチックのための分配プレート26が装着されている。次に高圧インゼクタ（図示せず）が分配プレート26の入口26aに連結され、トレッドエレメント材料が、分配プレート26の充填通路26bと、エジェクタプレート24の充填通路26bに対応する通路と、孔とを通って溝22に射出される。射出スプル26cが第５図に示されているように、横方向にソール全体にわたって延びているトレッドエレメント7cの場合、結合部射出通路は対応配置されている溝22の、互いに向かい合う側の端部から対応する孔に延びている。射出過程の熱によってウレタン接着剤から成る層は軟化し、トレッドエレメント材料の冷却時に、関係するトレッドエレメント11はウレタン接着剤を介してシート材料９に固定される。極めて大きなトレッドエレメント7cの場合、接着剤は接着面の領域が大きいために結合部の十分に強い強度をもたらしており、これに対し小さなトレッドエレメント11の接着固定は、固定部材15が設けられているトレッドエレメント11a,11bによって強化されており、固定部分15はトレッドエレメント11a,11bから孔17,18を通ってシート材料９の反対側の第２の面に延びて、その結果、第１図Ａに示し上記に説明しているように、シート材料９の一部は孔17,18の周りで、トレッドエレメント11と固定部分15との間で保持される。型20とエジェクタプレート24と分配プレート26とが第３図に示した位置に移動する際に、シート材料９はその面上に位置するトレッドエレメント11と共にモールディングマシンからエジェクトされ、スプル部分は固定部分15から離される。
型（第５図）から取り出されたシート材料９は、シート材料が配置されるソール表面の形状に相応する周囲長さの、つまり大きさに適当な形状に成形される（第６図）。このようにして、与えられた１つのトレッドエレメントパターンを通常たとえば３つの連続する靴サイズのためにごく僅かを無駄にするだけで使用することができる。なぜならトレッドエレメント11bの最も外側の部分と、全幅にわたって延びているトレッドエレメント11cの端部部分とのせいぜい一部だけが切り離され、その場所で廃棄されるからであり、しかも廃棄物となったシート材料９の残り部分はトレッドエレメント11を有していないからである。
図示の特別なトレッドエレメントパターンは、使用されるトレッドエレメントのタイプと、トレッドエレメントの組み合わせとの、単に１つの具体例と考えられる。
本発明は、単一の靴底（Einzel−Laufsohle）に取り付けられる、タイプ、サイズおよび構成に基づくトレッドエレメントやトレッド面の広い使用範囲で使用することができ、装飾的なパターンまたは商標（トレードマーク）をトレッド領域に形成することもできる。さらに単一の靴底の、成形された１つのパターンだけが図示されているが、別々である左および右のパターンを同時に１組の靴または複数組の靴のために成形することができる。
靴底が所定のサイズに切断された後で、ウレタン接着剤から成る層がシート９の、トレッドエレメント11とは反対側の第２の面に塗布され、中間ソール５が、シート９の、接着剤を有している面に当て付けられ、中間ソール５およびシート９の両方はその状態で、たとえば高温のトンネルを通してガイドされることによって加熱され、これによって靴底と中間ソール５との結合を行うことができる。次いで靴上部材料３は公知の形式で中間ソール５に固定される。
本発明が運動靴（ランニングシューズ）や中間ソールを備えた靴に制限されないことが指摘される。本発明による靴底を形成する、トレッドエレメント11を有するするシート９は、ハイキングシューズも含め、クロストレーニングシューズや別の種類のスポーツシューズの場合にも使用することができる。
本発明は図示および記載の実施例に制限されるものではなく、本発明の枠内において種々様々な変化実施例が可能である。
【図１Ａ】
0003602146.tif 000002
【図１】
0003602146.tif 000003
【図２】
0003602146.tif 000004
【図３】
0003602146.tif 000005
【図４】
0003602146.tif 000006
【図５】
0003602146.tif 000007
【図６】
0003602146.tif 000008